(57)【要約】【課題】高速で飛行する飛行ゴム風船において、飛行している間、該飛行ゴム風船の内部から発光できるものを提供すること。【解決手段】ゴム風船本体２０の空気流出入口の内側に中空筒状部材３０を嵌着させた発光する飛行ゴム風船１０であって、該飛行ゴム風船１０は、それぞれが電気的に接続された、発光ダイオード、電源及びスイッチを要素として含む発光部４０を具備し、前記発光ダイオード及び前記電源が、前記ゴム風船本体２０の内部に配設されたことを特徴とする。【選択図】図１
2010119497.tif 000002
【特許請求の範囲】
【請求項１】
ゴム風船本体の空気流出入口の内側に中空筒状部材を嵌着させた飛行ゴム風船であって、
前記飛行ゴム風船は、それぞれが電気的に接続された、発光ダイオード、電源及びスイッチを要素として含む発光部を具備し、
前記発光ダイオード及び前記電源が、前記ゴム風船本体の内部に配設されたことを特徴とする発光する飛行ゴム風船。
【請求項２】
前記電源が、１個以上のボタン型電池である請求項１記載の飛行ゴム風船。
【請求項３】
前記スイッチが、ゴム風船本体内側に具備するばね式スイッチをスイッチ部として具備するスイッチであり、前記スイッチ部では、少なくともその一端が電気絶縁部である絶縁体具の該電気絶縁部が、前記ばね式スイッチのばねに挟まれることにより前記発光ダイオードと前記電源間の導電を阻害しており、前記絶縁体具の他端が前記空気流出入口を超えて前記ゴム風船本体の外に突出している請求項１または２記載の飛行ゴム風船。
【請求項４】
前記発光部が、更にプリント配線板を具備する請求項１〜３いずれかの項記載の飛行ゴム風船。
【請求項５】
前記プリント配線板の配線によって、或いは前記プリント配線板にＩＣ回路を組み込むことによって、前記発光ダイオードが、発光開始から一定時間経過後に消灯するように仕向けた請求項４記載の飛行ゴム風船。
【請求項６】
前記発光部の各要素が、前記ゴム風船本体に接着されることなく、前記中空筒状部材を基軸として連結固定されている請求項１〜５いずれかの項記載の飛行ゴム風船。
【請求項７】
前記発光部と前記中空筒状部材との合計重量が、１５ｇ以下である請求項１〜６いずれかの項記載の飛行ゴム風船。
【発明の詳細な説明】
【技術分野】
【０００１】
本発明は、風船を膨らました後、風船外部への噴出力を利用して該風船を飛行させる飛行ゴム風船のうち、該風船内部から発光させることができる飛行ゴム風船に関する。
【背景技術】
【０００２】
風船を用いた玩具として、ゴム風船本体の空気流出入口に、中空筒状部材を前記空気流出入口の内側に嵌着させたジェット風船（登録商標）などと呼ばれている飛行ゴム風船がある。飛行ゴム風船は、風船内に空気を注入して膨らませた後、飛行ゴム風船を立てた状態（ゴム風船本体を上に、空気流出入口を下にした状態）で手放すと、空気流出入口から空気が外に噴出し、この噴出力が推進力となって空中へと高速で上方飛行するというものである。さらに風船内に充填された空気が、空気流出入口の中空筒状部材を通過する際、吹鳴音を発生させる興趣性を増した飛行ゴム風船が存在する（例えば、特許文献１）。
【特許文献１】特開２００１−２１８９８６号公報
【０００３】
かかる吹鳴音が発生する飛行ゴム風船は、一般的な幼児向け玩具として用いられるのみならず、近年では例えばプロ野球やサッカー等のスタンドで観客が自身の好きなチームを応援するために、この飛行ゴム風船を一斉に空中に飛行させてその雰囲気を一気に盛り上げる、というような形態で使用されることも多くなってきている。
【０００４】
特に上記のような使用形態においては、飛行ゴム風船自身がその内部から発光することができれば、その興趣性はさらに増すであろう。そのためには、飛行ゴム風船の内部に何らかの発光体を入れて光らすことが考えられる。
【０００５】
ここで、飛行ゴム風船ではないが、風船を発光させる技術としては、例えば開口された入口部および本体部を有する風船と、前記入口部が挿入される筒部および前記筒部を仕切る仕切部を有する受け具と、前記風船の内部に位置する様に、前記仕切部の上に配置された発光ダイオードランプとを具備する表示装置の技術がある（特許文献２）。
【特許文献２】特開２００３−１５５７３公報
【０００６】
しかしながら、特許文献２の発光する風船の技術は、例えばヘリウムガスの様に、空気より比重の小さい気体を充填して使用するものであって、むしろ風船が飛んで逃げる事を防止するため、発光のための電源部はゴム風船本体の外部に設け、該電源部と発光ダイオードランプのリードとをコードで接続された構成とすることで、電源部を重しとして利用するものである。従って、特許文献２の技術では、自身が高速で飛行する、飛行ゴム風船にそのまま応用することはできない。
【発明の開示】
【発明が解決しようとする課題】
【０００７】
そこで本発明が、解決しようとする課題は、高速で飛行する飛行ゴム風船において、飛行している間、該飛行ゴム風船の内部から発光できるものを提供することである。
【課題を解決するための手段】
【０００８】
本発明の発光する飛行ゴム風船は、それぞれが電気的に接続された、発光ダイオード、電源及びスイッチを要素として含む発光部を具備し、前記発光部の発光ダイオード及び電源が、前記ゴム風船本体の内部に配設されたことを最も主要な特徴とする。
【発明の効果】
【０００９】
本発明の発光する飛行ゴム風船は、飛行ゴム風船の内部に、発光ダイオードの他に該発光ダイオードの電源を配設するものであるから、高速で飛行している間でも風船内部から発光させることができる。また風船は、空気流出入口に口をつけて呼気により膨らませる場合が多いが、電池が飛行ゴム風船の内部に配設されることにより、口や舌が直接電源に触れることもなく、安全である。更に発光ダイオードや電源が、ゴム風船本体に収められているので、飛行ゴム風船が落下してくる際に人体に触れることがあっても、発光ダイオードや電源が直接当たることなく、弾力性に富むゴム風船本体を介しての接触であるから、安全性が高い。
【００１０】
また、電源としてボタン型電池を用いれば、風船の内部という限られた空間にあっても十分配設可能であり、かつ発光部の軽量化を実現できる。
【００１１】
また、前記スイッチが、ゴム風船本体内側に具備するばね式スイッチをスイッチ部として具備するスイッチであり、前記スイッチ部では、少なくともその一端が電気絶縁部である絶縁体具の該電気絶縁部が、前記ばね式スイッチのばねに挟まれることにより前記発光ダイオードと前記電源間の導電を阻害しており、前記絶縁体具の他端が前記空気流出入口を超えて前記ゴム風船本体の外に突出している様態であれば、前記ゴム風船本体の外側に突出している絶縁体具の一端を引っ張るという簡単な操作で、前記発光ダイオードの点灯を開始できるので、野球場などでタイミングよく点灯開始させなければならない本発明の飛行ゴム風船においては特に適する様態である。
【００１２】
また、前記発光部が、更にプリント配線板を具備する様態においては、発光部の電気的配線をコンパクトかつゴム風船本体の膨張収縮に関係なく安定的に行うことができるので、ゴム風船本体内部という限られた空間を有効に活用でき、かつ本発明の飛行ゴム風船を安定的に発光させることができる。
【００１３】
また、前記発光部の各要素が、前記ゴム風船本体に接着されることなく、前記中空筒状部材を基軸として連結固定されておれば、ゴム風船を膨らます際にも、ゴム風船本体に影響を与えないので、風船が破裂するおそれが少ない。
【００１４】
さらに、前記発光部と前記中空筒状部材との合計重量を１５ｇ以下とすることで、現在標準的に使用されているゴム風船の大きさにおいて、十分高く飛行することができる。
【発明を実施するための最良の形態】
【００１５】
以下、図面を使用して説明するが、本発明は図面の様態のみに限られるものではない。図１〜６は、本発明の飛行ゴム風船を示すものであり、図１は、飛行ゴム風船１０の全体の透視図であり、図１（Ａ）は平面図、図１（Ｂ）は正面図である。図２は図１の様態における発光部４０を示す要部拡大図であり、図２（Ａ）は平面図、図２（Ｂ）は正面図である。図３は、別の様態の飛行ゴム風船１０の全体の透視図であり、図３（Ａ）は平面図、図３（Ｂ）は正面図である。図４は図３の様態における発光部４０を示す要部拡大図であり、図４（Ａ）は平面図、図４（Ｂ）は正面図である。図５は更に別の様態の飛行ゴム風船１０の全体の透視図であり、図５（Ａ）は平面図、図５（Ｂ）は正面図である。図６は図５の様態における発光部４０を示す要部拡大図であり、図６（Ａ）は平面図、図６（Ｂ）は正面図である。
【００１６】
〔全体の構成〕
本発明の発光する飛行ゴム風船１０は、発光部４０以外の構成は、通常の飛行ゴム風船同様、ゴム風船本体２０の空気流出入口２２に、中空筒状部材３０を前記空気流出入口２２の内側に嵌着させたものである。風船内に空気を注入すると、ゴム風船本体２０は膨らんで変形するが、中空筒状部材３０は変形しない。中空筒状部材３０は、通常の飛行ゴム風船同様、ゴム風船本体２０から噴出する空気流が通過する際、吹鳴音を発生させる機構を具備してもよい。
【００１７】
〔ゴム風船本体〕
本発明に用いるゴム風船本体２０の材料は、一般的なゴム風船と同じ公知のゴム素材を用いることができる。ゴム風船本体２０の色は特に制限されないが、内部の発光をきれいに見せるためには、白色や淡色などが好ましい。濃色の場合、発光が弱い場合、内部での発光が外部からはきれいに見えないおそれがある。かかる観点からは、飛行ゴム風船１０としての強度が確保できるならば、透明色（有色透明含む。）なども好ましい。
【００１８】
〔発光部〕
本発明の発光する飛行ゴム風船１０は、更に発光部４０を具備する。発光部４０には、発光ダイオード４２、電源４４及びスイッチ４８が含まれ、これらの要素は電気的に接続される。電気的に接続させるには、はんだなどにより各要素を直接接続させることもできるが、プリント配線板４６や、電気コードを用いることもできる。プリント配線板４６を用いるとその分、発光部４０の重量が増えるという問題があるものの、ＩＣ回路４６２などを容易に配置できるので好ましい。なお、電気的に接続されるとは、スイッチ４８がオンの状態で通電状態となりうることをいい、スイッチ４８がオフの状態では、当然通電状態にはない。
【００１９】
飛行ゴム風船は、空中高く飛ばすという用途から、軽量であることが必要とされる。そこで本発明の飛行ゴム風船１０でも、必須要素である発光部４０の軽量化が必要となる。具体的には発光部４０と中空筒状部材３０との合計重量として、１５ｇ以下が好ましく、１０ｇ以下であることがさらに好ましい。現在一般に流通している飛行ゴム風船（膨らます前の全長が２４０ｍｍ程度のもの）を基準にした場合、前記重量が１５ｇを超えると、自重により飛行ゴム風船１０が高く飛行しないからである。
【００２０】
発光部４０の大きさとしては、ゴム風船本体２０内部に収まる大きさであれば特に制限がない。具体的には、図１〜図６に示した中空筒状部材側の端壁、すなわち中空筒状部材３０の底壁（図面右側）から先端の発光ダイオード４２（図面左側）までの長さが１００〜１５０ｍｍ程度である。
【００２１】
〔発光ダイオード〕
本発明の飛行ゴム風船１０の発光体には、小さく軽量で安全に高輝度発光することができる発光ダイオード４２（ＬＥＤ）を用いる。配設する発光ダイオード４２は、１個でもよいし複数でもよい。図１〜図４に示した様態では発光ダイオード４２を３個使用している様態を示した。図５及び図６に示した様態では発光ダイオード４２を５個使用している様態を示した。発光ダイオード４２の発光色彩は、趣向に応じて適宜用いることができ、異なる色彩の複数の発光ダイオード４２を同時に用いることもできる。
【００２２】
〔電源〕
本発明の飛行ゴム風船１０の場合、電源４４はゴム風船本体２０の内側に配設され、飛行時には、ゴム風船本体２０とともに飛行することになる。上述のとおり飛行ゴム風船１０は、勢いよく高く飛行させるという観点から重量はできるだけ軽い方が良い。発光部４０の必須要素のうち、重量の占める割合が大きいのは電源４４である。そこで本発明の飛行ゴム風船１０で用いる電源４４には、軽量かつコンパクトなボタン型電池を用いることが好ましい。図１〜６では、電源４４としてボタン型電池を用いた様態を示している。ここでいうボタン型電池にはコイン型電池を含む。具体的な規格としてはＬＲ４１などを挙げることができるが、これに限られるものではない。
【００２３】
反面、ボタン型電池には容量が小さいという難点がある。しかし、本発明の飛行ゴム風船１０を発光させるのは飛行中のみの短時間であり、プロ野球やサッカー等のスタンドで使用する場合には通常一回限りの使用であるので、持久的観点からの容量的な問題はない。ただし電圧を高くして高輝度で発光させたい場合には、複数のボタン型電池を直列つなぎで使用することもできる。図１及び図２では４個のボタン型電池を使用した様態が示されており、図３及び図４では３個のボタン型電池を使用した様態が示されており、図５及び図６では２個のボタン型電池を使用した様態が示されているが、これらは直列つなぎされている。
【００２４】
更に、図１及び図２に示したように、ボタン型電池などの電源４４を覆う電源カバー４４２を設けることが好ましい。一般にゴム風船を膨らます場合は、呼気による場合が多く、呼気は高湿度であるため、ゴム風船本体２０の内部に電源４４を配設する本発明の飛行ゴム風船１０では、かかる湿度が高い空気の流れから電源４４を保護できるからである。
【００２５】
〔スイッチ〕
本発明の飛行ゴム風船１０を飛行中にのみ発光させるためのスイッチ４８としては、飛行ゴム風船１０を膨らませて空気流出入口２２を握っている状態で、スイッチングを行うという一般的に想定される使用様態を鑑みると、スイッチ４８は、手動でスイッチングさせる場合には、ゴム風船本体２０の外側からスイッチ操作できるものが好ましい。或いはスイッチング操作不要の自動スイッチが好ましい。
【００２６】
かかる手動スイッチの好ましい一例としては、ゴム風船本体２０内側にスイッチ部としてばね式スイッチを具備するスイッチ４８であり、前記スイッチ部において、絶縁体具４８１の電気絶縁部４８２が前記ばね式スイッチのばねに挟まれることにより、発光ダイオード４２と電源４４間の導電を阻害しているものであり、かつ絶縁体具４８１はその一端が電気絶縁部４８２でありゴム風船本体２０の内部に配設されるが、他端４８３は、空気流出入口２２を超えてゴム風船本体２０の外に突出している様態を挙げることができる。この様態において、絶縁体具４８１の電気絶縁部４８２以外の部位は、ゴム風船本体２０の外に突出できるように伸びているものであれば、材質などは特に制限されず、金属線などであってもよいが、軽くて丈夫で、かつ定型性をもたない凧糸、釣り糸などの糸類が好ましい。かかる様態では、絶縁体具４８１の、ゴム風船本体２０の外側に突出している側の端４８３を引っ張ることで、絶縁体具４８１の電気絶縁部４８２が前記ばね式スイッチのスイッチ部から外れ、発光ダイオード４２と電源４４間が導電されるので、発光ダイオードが点灯する。
【００２７】
ここでばね式スイッチとは、鋼など素材の弾性を利用するばねによるスイッチであるが、導電性素材の弾性を利用できれば、コイルばねに限らず板ばねなどであってもよいし、更には弾性素材としてゴムなどを用いた、ゴムつき金属板などであってもよい。要するに、スイッチ部において絶縁体具４８１の電気絶縁部４８２を挟んでいる一対の導電性素材が、挟まれている該電気絶縁部４８２が外れた際に、該導電性素材同士が、お互い接触して通電するように、該導電性素材に歪力がかかった状態にされているものであればよい。
【００２８】
ただし、スイッチ４８は必ずしも上記のように手動でスイッチングさせる必要はなく、安定的なスイッチング機能を有するのであれば、飛行ゴム風船１０の飛行直後の噴出力を利用してスイッチングする機構や、膨らませた飛行ゴム風船１０を揺らした際に、振動を感知してスイッチングする機構による自動スイッチを採用することもできる。
【００２９】
さらには、前記手動スイッチと前記自動スイッチとを組み合わせたスイッチ４８であってもよい。例えば、前記絶縁体具４８１を用いた、ばね式の手動スイッチと振動を感知するスイッチング機構の自動スイッチとを組み合わせたスイッチ４８などである。かかるスイッチ４８であると、使用時までは前記手動スイッチにより、運搬などの振動があっても点灯せず、電池容量の無駄遣いを防止でき、一方使用の少し前に手動スイッチをオンにすると、今度は飛行ゴム風船１０を少し振るだけで点灯を始めるので、野球場などの使用において慌てることもなく、飛行ゴム風船１０を飛ばすタイミングを逃すことがない。
【００３０】
〔プリント配線板、ＩＣ回路〕
図１、図２、図５及び図６に示した飛行ゴム風船１０は、発光部４０がプリント配線板４６を具備する様態を示した。図１、図２、図５及び図６の様態では、発光ダイオード４２と電源４４はプリント配線板４６上に配設され、該プリント配線板４６が、固定具５０を介して中空筒状部材３０の天壁に固定されている。また図２の様態のように、プリント配線板４６にＩＣ回路４６２を組み込むこともできる。なお、図２にはプリント配線板４６に搭載されるコンデンサ４６４、抵抗４６６も図示した。
【００３１】
ＩＣ回路（集積回路）４６２を組み込めば、発光ダイオード点灯時に点滅させることもできるので、更に興趣性を増大させることもできる。また、プリント配線板４６やＩＣ回路４６２を組み込んだ場合には、発光ダイオード４２の点灯開始を合図に、所望の所定時間、例えば飛行ゴム風船１０が飛行している間、更には飛行前及び／または飛行後の所定の時間を含めた飛行を含む使用時の間、具体的には１０秒〜３分程度経過後、自動的に消灯させることが好ましい。飛行ゴム風船１０が落下した後まで発光ダイオードを点灯させたままにさせることは無駄であって、かつ見栄えもよくないからである。またかかる様態では、使用後電源４４を抜き取って再利用させることもできる。かかる機構は、配線を適宜組み込み、またはＩＣ回路でプログラムしておくなど公知の手段で達成できる。
【００３２】
〔発光部の固定具〕
以上の発光部４０の発光ダイオード４２、電源４４、プリント配線板４６及びスイッチ４８は、風船を膨らませるなど、ゴム風船本体２０が変形する場面でも、ゴム風船本体２０自身に傷をつけないようにする必要がある。このため、発光部４０の各要素は、ゴム風船本体２０に接着されることなく、ゴム風船本体２０の空気流出入口２２の内側に嵌着された中空筒状部材３０を基軸として連結固定されることが好ましいとし、図１〜６には、具体的な様態例を示した。図１及び図２の様態では、発光ダイオード４２、電源４４及びスイッチ４８のスイッチ部は、プリント配線板４６上に配置され、該プリント配線板４６はピアノ線などによる棒状の固定具５０を介して中空筒状部材３０に固定される。また図３及び図４の様態では、発光ダイオード４２と電源４４はプラスチック製筐体に配設され、該筐体が、固定具５０を介して中空筒状部材３０の天壁に固定される。一方、スイッチ４８は中空筒状部材３０の底壁に固定される。
【００３３】
発光部４０は、上記の様態のように、固定具５０を介して中空筒状部材３０に固定することもできるが、直接中空筒状部材３０に固定してもよい。電気の配線は固定具５０や中空筒状部材３０に這わせて固定する。以上より、発光部４０のすべての要素が中空筒状部材３０を基軸に固定されるので、ゴム風船本体２０が変形する影響をほとんど受けることがない。
【００３４】
固定具５０の材質としては、固定するに足りる強度を有する定型性を持つであることが好ましい。具体的には、図１及び図２に示した棒状の固定具５０ならばピアノ線のような直径０．２〜０．８ｍｍの金属線などを使用でき、図３〜図６に示した板状の固定具５０ならば、厚さ０．８〜１．０ｍｍのプラスチック板、例えばベークライト板やアクリル板などを挙げることができる。ピアノ線などでは、その強度に比して軽量であるため、飛行ゴム風船１０全体の軽量化に有利である。板状の固定具５０の場合、一枚の固定板を用いることもできるし、図３〜図６に示したように、２枚の固定板を用いてプリント配線板４６を強固に中空筒状部材３０へと固定させることもできる。一方、糸やゴムなどの定型性を持たない素材は、固定具５０の材料としては不適である。
【産業上の利用可能性】
【００３５】
本発明の飛行ゴム風船は、風船内部から発光するという特徴から、更に興趣性を増した飛行ゴム風船として、産業上利用可能である。
【図面の簡単な説明】
【００３６】
【図１】本発明の飛行ゴム風船全体の透視図。図１（Ａ）は平面図、図１（Ｂ）は正面図。
【図２】図１の様態の発光部を示す要部拡大図。図２（Ａ）は平面図、図２（Ｂ）は正面図。
【図３】別の様態の本発明の飛行ゴム風船全体の透視図。図３（Ａ）は平面図、図３（Ｂ）は正面図。
【図４】図３の様態の発光部を示す要部拡大図。図４（Ａ）は平面図、図４（Ｂ）は正面図。
【図５】更に別の様態の本発明の飛行ゴム風船全体の透視図。図５（Ａ）は平面図、図５（Ｂ）は正面図。
【図６】図５の様態の発光部を示す要部拡大図。図６（Ａ）は平面図、図６（Ｂ）は正面図。
【符号の説明】
【００３７】
１０    飛行ゴム風船
２０    ゴム風船本体
２２    空気流出入口
３０    中空筒状部材
４０    発光部
４２    発光ダイオード
４４    電源（ボタン型電池）
４６    プリント配線板
４８    スイッチ
４９
５０    固定具
【図１】
2010119497.tif 000003
【図２】
2010119497.tif 000004
【図３】
2010119497.tif 000005
【図４】
2010119497.tif 000006
【図５】
2010119497.tif 000007
【図６】
2010119497.tif 000008